(57)【要約】【課題】画像形成装置の現像ローラに対して、振幅精度の高いバイアス電圧を印加することができる高圧電源装置を提供するものである。【解決手段】ＡＣ電源部１からの交流電圧は、２次側に主巻線２２と副巻線２３とを具備するトランス２によって昇圧される。トランス２の副巻線２３の両端のそれぞれに、一方端が接続された２つのコンデンサ３１、３２が配されており、この２つのコンデンサ３１、３２のもう一方端には、定電圧ダイオード５０が接続されている。この定電圧ダイオード５０には、直流電圧を印加するＤＣ電源部７が設けられており、定電圧ダイオード５０の過カソード側に発生する電圧が現像ローラバイアス用電圧として用いられる。【選択図】図１
2007292990.tif 000002
【特許請求の範囲】
【請求項１】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１コンデンサと、
該副巻線の当該共通接続点側ではない方の一端に、一方端が接続された第２コンデンサと、
該第１コンデンサのもう一方端と、第２コンデンサのもう一方端とに両端が接続された定電圧ダイオードと、
該定電圧ダイオードに直流電圧を印加する直流電圧印加部とを具備し、
該第１コンデンサのもう一方端に発生する電圧を該現像ローラの印加用として用いることを特徴とする高圧電源装置。
【請求項２】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１抵抗と、
該副巻線の当該共通接続点側ではない方の一端に、一方端が接続された第２抵抗と、
該第１抵抗のもう一方端に、一方端が接続された第１コンデンサと、
該第２抵抗のもう一方端に、一方端が接続された第２コンデンサと、
該第１コンデンサのもう一方端と、第２コンデンサのもう一方端とに両端が接続された定電圧ダイオードと、
該定電圧ダイオードに直流電圧を印加する直流電圧印加部とを具備し、
該第１コンデンサのもう一方端に発生する電圧を該現像ローラの印加用として用いることを特徴とする高圧電源装置。
【請求項３】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１コンデンサと、
該副巻線の当該共通接続点側ではない方の一端に、一方端が接続された第２コンデンサと、
該第１コンデンサのもう一方端と、第２コンデンサのもう一方端とに両端が接続された高耐圧ダイオードと、
該高耐圧ダイオードに直流電圧を印加する直流電圧印加部とを具備し、
該第１コンデンサのもう一方端に発生する電圧を該現像ローラの印加用として用いることを特徴とする高圧電源装置。
【請求項４】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１コンデンサと、
該副巻線の当該共通接続点側ではない方の一端に、一方端が接続された第２コンデンサと、
アノード同士で直列接続された第１定電圧ダイオード、第２定電圧ダイオードと、
該第１定電圧ダイオードに直流電圧を印加する直流電圧印加部とを具備し、
該第１コンデンサのもう一方端は該第１定電圧ダイオードのカソード側と接続され、第２コンデンサのもう一方端は該第２定電圧ダイオードのカソード側と接続され、
該第１コンデンサのもう一方端に発生する電圧を該現像ローラの印加用として用いることを特徴とする高圧電源装置。
【請求項５】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１抵抗と、
該副巻線の当該共通接続点側ではない方の一端に、一方端が接続された第２抵抗と、
該第１抵抗のもう一方端に、一方端が接続された第１コンデンサと、
該第２抵抗のもう一方端に、一方端が接続された第２コンデンサと、
アノード同士で直列接続された第１定電圧ダイオード、第２定電圧ダイオードと、
該第１定電圧ダイオードに直流電圧を印加する直流電圧印加部とを具備し、
該第１コンデンサのもう一方端は該第１定電圧ダイオードのカソード側と接続され、第２コンデンサのもう一方端は該第２定電圧ダイオードのカソード側と接続され、
該第１コンデンサのもう一方端に発生する電圧を該現像ローラの印加用として用いることを特徴とする高圧電源装置。
【請求項６】
少なくとも現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された第１コンデンサと、
該副巻線の当該共通接続点側ではない方の一端に、一方端が接続された第２コンデンサと、
互いに順方向に直列接続された第１定電圧ダイオード、第２定電圧ダイオードと、
該第１定電圧ダイオードに直流電圧を印加する直流電圧印加部とを具備し、
該第１コンデンサのもう一方端は該第１定電圧ダイオードのカソード側と接続され、第２コンデンサのもう一方端は該第２定電圧ダイオードのアノード側と接続され、
該第１コンデンサのもう一方端に発生する電圧を該現像ローラの印加用として用いることを特徴とする高圧電源装置。
【請求項７】
少なくとも複数の現像器の現像ローラにバイアス電圧を印加する高圧電源装置において、
交流電圧を昇圧し２次側に主巻線と副巻線とを具備するトランスと、
当該主巻線と当該副巻線との共通接続点に、一方端が接続された複数の第１コンデンサと、
該副巻線の当該共通接続点側ではない方の一端に、一方端が接続された複数の第２コンデンサと、
該第１コンデンサのもう一方端と、第２コンデンサのもう一方端とに両端が接続された複数の定電圧ダイオードと、
該複数の定電圧ダイオードに直流電圧を印加する複数の直流電圧印加部とを具備し、
該複数の第１コンデンサのもう一方端に発生する電圧を該現像ローラの印加用として用いることを特徴とする高圧電源装置。
【請求項８】
請求項１乃至請求項７のいずれかに記載の高圧電源装置を備えることを特徴とする画像形成装置。
【請求項９】
該現像ローラは金属製であることを特徴とする請求項８に記載の画像形成装置。
【発明の詳細な説明】
【技術分野】
【０００１】
本発明は、現像担持体上にトナーの均一な薄層を形成し、潜像担持体にトナーを搬送する現像器に関連し、特に該現像器を構成する現像担持体、潜像担持体、規制ブレードに印加する高圧電源装置及びその高圧電源装置を用いた画像形成装置に関するものである。
【背景技術】
【０００２】
現像器を構成する現像担持体、潜像担持体、規制ブレードのそれぞれには、高圧電源装置によって適切なバイアス電源を印加する必要があり、例えば、特許文献１（特許３２６４００１号公報）記載されているように、現像ローラ（現像担持体）、ブレード（層厚規制手段）、リセットローラ（供給手段）からなる現像器において、ブレード（層厚規制手段）にはブレード（層厚規制手段）印加電源から電圧を印加しおき、さらにトナーを摩擦し、負に予備帯電させるとともに、供給手段印加直流電源と供給手段印加交流電源により直流成分と交流成分を重畳した供給手段印加電圧が印加されたリセットローラの電位（供給手段印加電圧）と現像担持体印加電源によって印加された現像ローラの電位（現像バイアス電圧）との間で生じる現像ローラからリセットローラへ向かう向きのトナー供給電界の静電気力によってトナーを現像ローラへ転移させることが記載されている。
【特許文献１】特許３２６４００１号公報
【発明の開示】
【発明が解決しようとする課題】
【０００３】
従来、本件出願人が検討していた画像形成装置の高圧電源装置について説明する。図９は画像形成装置の要部断面図である。図９において、像担持体である感光体１０７に形成された静電潜像を現像する現像器には、ハウジング１０１の感光体１０７と対向する開口部に現像剤担持体である現像ローラ１０２が設けられ、現像ローラ１０２との接触部（ニップ部）において同方向（図の矢印方向）に回転する供給ローラ１０３がハウジング内に設けられ、供給ローラ１０３によりハウジング内に収容されたトナー１０４を現像ローラ１０２の表面に供給している。感光体１０７と現像ローラ１０２との間には間隙が形成されており、現像の際にはトナーはこの間隙を移動し感光体１０７上に付着することにより潜像が現像される。現像ローラ１０２の上側にはシール材１０５が、下側には規制ブレード１０６がそれぞれ設けられている。供給ローラ１０３の回転により現像ローラ１０２とのニップ部にトナーが供給されると両ローラ間に圧接された状態で搬送され、その過程で摩擦帯電され、さらに規制ブレード６で多層規制されるとともに摩擦帯電され、現像ローラ１０２と感光体１０７の対向部に搬送されてＡＣジャンピング現像が行われる。
【０００４】
次に、以上のように構成された画像形成装置にバイアス電源を供給する高電圧電源装置について説明する。図１０は、画像形成装置の高圧電源装置の回路構成を示す図であり、図１１は、高圧電源装置によって現像ローラ及び供給ローラ及び規制ブレードに印加される電圧の波形を示す図である。図１０において、数ｋＨｚで方形波を発生させるＡＣ電源によって、トランスＴの一次側を励磁させ、これによってトランスＴ２次側にピークツーピークでおよそ１２００〜１５００Ｖの電圧を発生させ、さらに、これにＤＣ電圧を重畳し、Ｔａ−Ｔｂ間の定電圧ダイオードＺＤによって電位差を形成し、図１１に示すような電圧波形を得る。図１１において、縦軸は単位が電圧であり、横軸は単位が時間である。また、図中、矢印に示されるように点線で示されるものが、現像ローラ１０２への印加電圧波形であり、実線で示されるものが、供給ローラ１０３及び規制ブレード１０６への印加電圧波形である。端子Ｔａは現像ローラ１０２に接続され、また、端子Ｔｂは供給ローラ１０３及び規制ブレード１０６に接続され、それぞれのバイアス電圧が印加される。
【０００５】
ところで、現像ローラ１０２には、鉄やアルミニウムの金属ローラを用いており、通常の使用においては、特段の問題なく使用できるのであるが、標高の高い地域での使用においては、空気が希薄となり放電限界が低下して、感光体１０７と現像ローラ１０２との間隙で放電してしまうという問題がある。このような問題があったため、現像ローラ１０２に印加するバイアス電圧は、規定の電圧から誤差の少ないものを利用する必要があった。すなわち、図１１のＶｐ−ｐに示される方形波の電圧波形の振幅精度については特に精度を高くすることが要求されていた。しかしながら、図１０に示されるような回路構成では、定電圧ダイオードＺＤの個体差に応じて、現像ローラへのバイアス電圧が変化してしまうようになっており、これを調整しようとする場合には、定電圧ダイオードＺＤを交換しつつ調整を図る必要があった。特に、図１０に示す回路構成をベースとして、カラーの画像形成装置に高電圧バイアスを供給するための回路を構成しようとした場合に、この問題が顕在化してくる。
【課題を解決するための手段】
【０００６】
そのために、請求項１に係る本発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１コンデンサと、該副巻線の当該共通接続点側ではない方の一端に、一方端が接続された第２コンデンサと、該第１コンデンサのもう一方端と、第２コンデンサのもう一方端とに両端が接続された定電圧ダイオードと、該定電圧ダイオードに直流電圧を印加する直流電圧印加部とを具備し、該第１コンデンサのもう一方端に発生する電圧を該現像ローラの印加用として用いることを特徴とする。
【０００７】
また、請求項２に係る発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１抵抗と、該副巻線の当該共通接続点側ではない方の一端に、一方端が接続された第２抵抗と、該第１抵抗のもう一方端に、一方端が接続された第１コンデンサと、該第２抵抗のもう一方端に、一方端が接続された第２コンデンサと、該第１コンデンサのもう一方端と、第２コンデンサのもう一方端とに両端が接続された定電圧ダイオードと、該定電圧ダイオードに直流電圧を印加する直流電圧印加部とを具備し、該第１コンデンサのもう一方端に発生する電圧を該現像ローラの印加用として用いることを特徴とする。
【０００８】
また、請求項３に係る発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１コンデンサと、該副巻線の当該共通接続点側ではない方の一端に、一方端が接続された第２コンデンサと、該第１コンデンサのもう一方端と、第２コンデンサのもう一方端とに両端が接続された高耐圧ダイオードと、該高耐圧ダイオードに直流電圧を印加する直流電圧印加部とを具備し、該第１コンデンサのもう一方端に発生する電圧を該現像ローラの印加用として用いることを特徴とする。
【０００９】
また、請求項４に係る発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１コンデンサと、該副巻線の当該共通接続点側ではない方の一端に、一方端が接続された第２コンデンサと、アノード同士で直列接続された第１定電圧ダイオード、第２定電圧ダイオードと、該第１定電圧ダイオードに直流電圧を印加する直流電圧印加部とを具備し、該第１コンデンサのもう一方端は該第１定電圧ダイオードのカソード側と接続され、第２コンデンサのもう一方端は該第２定電圧ダイオードのカソード側と接続され、該第１コンデンサのもう一方端に発生する電圧を該現像ローラの印加用として用いることを特徴とする。
【００１０】
また、請求項５に係る発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１抵抗と、該副巻線の当該共通接続点側ではない方の一端に、一方端が接続された第２抵抗と、該第１抵抗のもう一方端に、一方端が接続された第１コンデンサと、該第２抵抗のもう一方端に、一方端が接続された第２コンデンサと、アノード同士で直列接続された第１定電圧ダイオード、第２定電圧ダイオードと、該第１定電圧ダイオードに直流電圧を印加する直流電圧印加部とを具備し、該第１コンデンサのもう一方端は該第１定電圧ダイオードのカソード側と接続され、第２コンデンサのもう一方端は該第２定電圧ダイオードのカソード側と接続され、該第１コンデンサのもう一方端に発生する電圧を該現像ローラの印加用として用いることを特徴とする。
【００１１】
また、請求項６に係る発明は、少なくとも現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された第１コンデンサと、該副巻線の当該共通接続点側ではない方の一端に、一方端が接続された第２コンデンサと、互いに順方向に直列接続された第１定電圧ダイオード、第２定電圧ダイオードと、該第１定電圧ダイオードに直流電圧を印加する直流電圧印加部とを具備し、該第１コンデンサのもう一方端は該第１定電圧ダイオードのカソード側と接続され、第２コンデンサのもう一方端は該第２定電圧ダイオードのアノード側と接続され、該第１コンデンサのもう一方端に発生する電圧を該現像ローラの印加用として用いることを特徴とする。
【００１２】
また、請求項７に係る発明は、少なくとも複数の現像器の現像ローラにバイアス電圧を印加する高圧電源装置において、交流電圧を昇圧し２次側に主巻線と副巻線とを具備するトランスと、当該主巻線と当該副巻線との共通接続点に、一方端が接続された複数の第１コンデンサと、該副巻線の当該共通接続点側ではない方の一端に、一方端が接続された複数の第２コンデンサと、該第１コンデンサのもう一方端と、第２コンデンサのもう一方端とに両端が接続された複数の定電圧ダイオードと、該複数の定電圧ダイオードに直流電圧を印加する複数の直流電圧印加部とを具備し、該複数の第１コンデンサのもう一方端に発生する電圧を該現像ローラの印加用として用いることを特徴とする。
【００１３】
また、請求項８に係る発明は、請求項１乃至請求項７のいずれかに記載の高圧電源装置を備えることを特徴とする画像形成装置である。
【００１４】
また、請求項９に係る発明は、請求項８に記載の画像形成装置において、該現像ローラは金属製であることを特徴とする。
【発明の効果】
【００１５】
本発明によれば、定電圧ダイオードなどの電子部品の個体差に依存することなく、現像ローラに対して振幅精度が高い電圧波形のバイアス電圧を供給することができる高圧電源装置、及びこの高圧電源装置を用いた画像形成装置を提供することができる。
【発明を実施するための最良の形態】
【００１６】
以下、本発明の実施の形態を図面を参照しつつ説明する。図１は本発明の第１の実施の形態に係る高圧電源装置の回路構成を示す図である。この高圧電源装置によってバイアス電圧を印加する画像形成装置の構成は図９に示したものと同様であり、また、画像形成装置の各構成へのバイアス電圧印加波形は図１１に示したものと同様であるので、これらについては先の図面を参照しつつ説明する。
【００１７】
図１において、１はＡＣ電源部、２はトランス、３１、３２はコンデンサ、４０は抵抗、５０は定電圧ダイオード、７はＤＣ電源部である。トランス２は一次巻線２１及び２次巻線は主巻線２２、副巻線２３とからなる。端子Ｔ１は、現像ローラ１０２に接続され、また、端子Ｔ２は供給ローラ１０３及び規制ブレード１０６に接続され、それぞれのバイアス電圧が印加される。
【００１８】
トランス２の主巻線２２の一方側は接地されており、もう一方の側は副巻線２３と接続され、この接続点がタップＡとしてトランス２から引き出されている。また、タップＡはコンデンサ３１を介して、定電圧ダイオード５０のカソード側に、また、（タップＡ側ではない）副巻線２３のもう一方側は、コンデンサ３２を介して、定電圧ダイオード５０のアノード側に接続されている。定電圧ダイオード５０のカソード側には、図示するように、接地されたＤＣ電源部７と抵抗４０を介して接続される。また、定電圧ダイオード５０のカソード側は端子Ｔ１として、現像ローラ１０２へのバイアス電圧が取り出され、アノード側は端子Ｔ２として、供給ローラ１０３及び規制ブレード１０６へのバイアス電圧が取り出される。
【００１９】
次に、以上の回路構成の動作について説明する。ＡＣ電源部１は、高電圧発生用のトランス２の１次巻線２１に、発生したい所望のデューティ、周波数の任意形状の波形（正弦波、方形波等）を印加して、これを励磁する。通常の画像形成装置では、メカ部分を駆動するための電圧２４Ｖの電源、２〜４ｋＨｚ程度でスイッチングしてＡＣ電源部１を構成することが一般的であるが、これに限るものではない。また、現像ローラ１０２、供給ローラ１０３等からなる現像器へのバイアス電圧には、方形波が使われることが一般的であるが、これに限定されるものでもない。２次側巻線には現像ローラ１０２に供給するための電圧振幅を発生する２次側主巻線２２と定電圧ダイオード５０をバイアスする為の２次側副巻線２３が接続されており、定電圧ダイオード５０により、端子Ｔ１−Ｔ２間の電位差を保つようにしている。
【００２０】
本実施形態では、負極性側は定電圧ダイオード５０のツェナー電圧で決まり、正極性側では定電圧ダイオード５０の順方向電圧降下（シリコンでは約０．６Ｖ）で決まる。また、ＤＣ電源部の直流電圧が、定電圧ダイオード５０のカソード側に抵抗４０を介して接続されており、このＤＣ電源部の直流電圧にはおおむね−１００乃至４００Ｖの範囲の電圧が用いられる。
【００２１】
タップＡと定電圧ダイオード５０のカソード側との間、及び、（タップＡ側ではない）副巻線２３のもう一方側と定電圧ダイオード５０のアノード側との間は、それぞれコンデンサ３１及びコンデンサ３２によって結合されており、これらのコンデンサにより交流成分は伝達されるが、直流成分が遮断されるようになっている。
【００２２】
以上のような動作により、図１１に示すように、現像ローラ１０２、供給ローラ１０３、規制ブレード１０６のそれぞれに、ＤＣ電圧が重畳されたＡＣ電圧がバイアスとして印加される。また、端子Ｔ１からは現像ローラ１０２に、端子Ｔ２からは規制ブレード１０２及び供給ローラ１０３に接続されバイアス電圧が印加されるが、本実施形態では、現像ローラ１０２に印加されるバイアス電圧と、規制ブレード１０２及び供給ローラ１０３に印加されるバイアス電圧とは、マイナスのピーク時に、電位差が発生されるような回路方式となっている。
【００２３】
本実施形態においては、トランス２のタップＡから端子Ｔ１までのラインから、現像ローラ１０２にバイアス電圧が接続されているが、このラインは定電圧ダイオード５０の影響をあまり受けることがなく、このラインからは振幅精度が高いバイアス電圧を供給することができる。また、例えば、トランス２において複数段のタップが設けられているような場合、これらの複数段設けられているタップのうちから最適なものを選ぶなどして、より精度を高めることなどもできる。
【００２４】
なお、回路方式としては電子写真方式の要求に従い、電気極性（定電圧ダイオード、ＤＣ電源部）、接続順序（現像ローラ、供給ローラ、規制ブレードと高圧電源との接続形態）、ＡＣ電源部（正弦波、方形波等の波形形状、デューティ、周波数）等は、最適な方式を選択すれることができる。
【００２５】
次に、本発明の他の実施の形態に係る高圧電源装置について説明する。図２は本発明の第２の実施の形態に係る高圧電源装置の回路構成を示す図である。本実施形態が、第１の実施の形態と異なる点は、タップＡとコンデンサ３１と間に抵抗４１が、また（タップＡ側でない）もう一方の側の副巻線２３の側とコンデンサ３２との間に抵抗４２が設けられている点である。高電圧発生用のトランス２では周波数特性からオーバシュートが発生する事がある。抵抗４１は、負荷静電容量との間でオーバシュートを抑圧するための、ダンピング抵抗である。また、抵抗４２は、定電圧ダイオード５０のツェナー電圧と、定電圧ダイオード５０をバイアスする為の２次側副巻線２３の発生ＡＣ電圧との、電圧差を吸収する為の抵抗である。本実施形態においても第１の実施形態において説明したのと同様の効果を期待することができる。
【００２６】
次に、本発明の他の実施の形態に係る高圧電源装置について説明する。図３は本発明の第３の実施の形態に係る高圧電源装置の回路構成を示す図である。本実施形態が、第１の実施の形態と異なる点は、定電圧ダイオード５０に代えて、高耐圧ダイオード５１が用いられる点である。本実施形態では、この高耐圧ダイオード５１により、端子Ｔ１−Ｔ２間の電位差を保つようにする。また、この実施形態においては、バイアス電圧の負極性側はＡＣ電圧発生用のトランス２の２次側副巻線発生電圧で決まり、正極性側ではダイオードの順方向電圧降下（シリコンでは約０．６Ｖ）で決まる。本実施形態においても第１の実施形態において説明したのと同様の効果を期待することができる。
【００２７】
次に、本発明の他の実施の形態に係る高圧電源装置について説明する。図４は本発明の第４の実施の形態に係る高圧電源装置の回路構成を示す図である。本実施形態が、第１の実施の形態と異なる点は、定電圧ダイオード５０に加えて、定電圧ダイオード５０と直列に、そして当該定電圧ダイオード５０と逆極性で定電圧ダイオード５２が接続されている点である。この実施形態においては、２個の定電圧ダイオード５０、５２により、端子Ｔ１−Ｔ２間の電位差を保つようになっている。また本実施例では、負極性側は上側の定電圧ダイオード５０のツェナー電圧で決まり、正極性側では下側の定電圧ダイオード５２のツェナー電圧で決まる。本実施形態においても第１の実施形態において説明したのと同様の効果を期待することができる。
【００２８】
次に、本発明の他の実施の形態に係る高圧電源装置について説明する。図５は本発明の第５の実施の形態に係る高圧電源装置の回路構成を示す図である。本実施形態が、第４の実施の形態と異なる点は、タップＡとコンデンサ３１と間に抵抗４１が、また（タップＡ側でない）もう一方の側の副巻線２３の側とコンデンサ３２との間に抵抗４２が設けられている点である。高電圧発生用のトランス２では周波数特性からオーバシュートが発生する事がある。抵抗４１は、負荷静電容量との間でオーバシュートを抑圧するための、ダンピング抵抗である。また、抵抗４２は、定電圧ダイオード５０のツェナー電圧と、定電圧ダイオード５０をバイアスする為の２次側副巻線２３の発生ＡＣ電圧との、電圧差を吸収する為の抵抗である。また、この実施形態においては、２個の定電圧ダイオード５０、５２により、端子Ｔ１−Ｔ２間の電位差を保つようになっている。また本実施例では、負極性側は上側の定電圧ダイオード５０のツェナー電圧で決まり、正極性側では下側の定電圧ダイオード５２のツェナー電圧で決まる。本実施形態においても第１の実施形態において説明したのと同様の効果を期待することができる。
【００２９】
次に、本発明の他の実施の形態に係る高圧電源装置について説明する。図６は本発明の第６の実施の形態に係る高圧電源装置の回路構成を示す図であり、図７は、第６の実施の形態に係る高圧電源装置によって現像ローラ及び供給ローラ及び規制ブレードに印加される電圧の波形を示す図である。本実施形態が、第１の実施の形態と異なる点は、現像ローラ１０２、規制ブレード１０６、供給ローラ１０３のそれぞれに電位差をつけたバイアス電圧が印加される点である。印加バイアス電圧波形は、図７に示されるものであり、図７において、縦軸は単位が電圧であり、横軸は単位が時間である。また、図中、矢印に示されるように粗い点線で示されるものが、現像ローラ１０２への印加電圧波形であり、細かい点線で示されるものが、規制ブレード１０６への印加電圧波形であり、実線で示されるものが、供給ローラ１０３への印加電圧波形である。
【００３０】
本実施形態で、具体的な構成において、第１の実施の形態と異なる点は、定電圧ダイオード５０のアノード側に、定電圧ダイオード５０と直列に、同極性で定電圧ダイオード５３が接続されている点である。そしてさらに、定電圧ダイオード５０のアノード側（定電圧ダイオード５３のカソード側）から、端子Ｔ０が引き出されている点である。端子Ｔ１は現像ローラ１０２に接続され、また、端子Ｔ０は規制ブレード１０６に接続され、また端子Ｔ２は供給ローラ１０３に接続され、それぞれ図７に示されるようなバイアス電圧が印加される。本実施形態においても第１の実施形態において説明したのと同様の効果を期待することができる。
【００３１】
次に、本発明の他の実施の形態に係る高圧電源装置について説明する。図８は本発明の第７の実施の形態に係る高圧電源装置の回路構成を示す図である。本実施形態は、特にタンデム型と呼ばれるカラー画像形成装置に高電圧バイアスを供給するための高圧電源装置の回路構成としたものである。タンデム型のカラー画像形成装置は、シアン、マゼンタ、イエロー、ブラックの各色トナーを扱う各感光体及びこれら各感光体を現像する現像器が一列に並んだ配置となっており、図９に示される構成を４ユニット有する構成となる。従って、カラー画像形成装置では、これら４つの現像器の現像ローラ１０２、供給ローラ１０３、規制ブレード１０６の各々に高電圧のバイアス電圧を印加するための回路構成が必要となる。ところで、このようなカラー画像形成装置においては通常、カラーでの印刷に比べて、モノクロでの印刷の頻度が高いので、ブラックのトナーだけは他の色のトナーと独立して動作させる構成とすることが多く、それに伴い、現像器にバイアス電圧を印加するための高圧電源装置も、ブラック用と他の各色用とで分離することがある。本実施形態では、そのような場合を想定し、特にカラー印刷を行う際に必要となる、シアン、マゼンタ、イエローの各現像器に、バイアスを印加する回路構成につき説明することとする。
【００３２】
図８において、第１の実施の形態と異なる点は、図示するように、タップＡから、そして（タップＡ側でない）もう一方の側の副巻線２３の側から、各色用の３つの回路へとトランス２で昇圧された電圧が供給される点である。なお、イエロー用の回路、マゼンタ用の回路、シアン用の回路のそれぞれの参照符号の後ろには、図示するようにＹ、Ｍ、Ｃが付してあることに留意されたい。
【００３３】
本実施形態においては、トランス２のタップＡから端子Ｔ１までのラインから、各色の現像ローラ１０２にバイアス電圧が接続されているが、これらのラインは各色回路に設けられた定電圧ダイオード５０Ｙ、５０Ｍ、５０Ｃの影響をあまり受けることがなく、これらのラインからは振幅精度が高いバイアス電圧を各現像ローラへと供給することができる。特にタンデム型のカラー画像形成装置にバイアスを印加する高圧電源装置において、トランス２を各色回路で共有利用しようとすると、従来の図１０に示す回路をベースとする場合、精度良く現像ローラにバイアス電圧を印加するには、イエロー用の回路、マゼンタ用の回路、シアン用の回路それぞれについて、定電圧ダイオードを交換しつつ調整を図る必要があった。これに対して本実施形態によれば、上記のように、このような調整作業を要することなく、精度が高いバイアス電圧を各色現像ローラに供給することができる。また、例えば、トランス２において複数段のタップが設けられているような場合、これらの複数段設けられているタップのうちから最適なものを選ぶなどして、より精度を高めることなどもできる。
【００３４】
以上において、種々の実施形態を示したが、例えば、高耐圧ダイオードを用いる第３の実施形態に、ダンピング抵抗等を用いる第２の実施形態を組み合わせて新たな実施形態としたり、或いは、さらにこの新たな実施形態を上記のようなタンデム型のカラー画像形成装置にバイアスを印加する高圧電源装置に適用したりすることも可能であり、このような組み合わせによる応用は全て本発明の範疇である。
【図面の簡単な説明】
【００３５】
【図１】本発明の第１の実施の形態に係る高圧電源装置の回路構成を示す図である。
【図２】本発明の第２の実施の形態に係る高圧電源装置の回路構成を示す図である。
【図３】本発明の第３の実施の形態に係る高圧電源装置の回路構成を示す図である。
【図４】本発明の第４の実施の形態に係る高圧電源装置の回路構成を示す図である。
【図５】本発明の第５の実施の形態に係る高圧電源装置の回路構成を示す図である。
【図６】本発明の第６の実施の形態に係る高圧電源装置の回路構成を示す図である。
【図７】第６の実施の形態に係る高圧電源装置によって現像ローラ及び供給ローラ及び規制ブレードに印加される電圧の波形を示す図である。
【図８】本発明の第７の実施の形態に係る高圧電源装置の回路構成を示す図である。
【図９】画像形成装置の要部断面図である。
【図１０】画像形成装置の高圧電源装置の回路構成を示す図である。
【図１１】高圧電源装置によって現像ローラ及び供給ローラ及び規制ブレードに印加される電圧の波形を示す図である。
【符号の説明】
【００３６】
１・・・ＡＣ電源部、２・・・トランス、２１・・・１次巻線及、２２・・・主巻線（２次巻線）、２３・・・副巻線（２次巻線）、３１、３２・・・コンデンサ、４０・・・抵抗、５０・・・定電圧ダイオード、５１・・・高耐圧ダイオード、５２、５３・・・定電圧ダイオード、４１，４２・・・稿耐圧ダイオード、７・・・ＤＣ電源部、１０１・・・ハウジング、１０２・・・現像ローラ、１０３・・・供給ローラ、１０４・・・トナー、１０５・・・シール材、１０６・・・規制ブレード、１０７・・・感光体
【図１】
2007292990.tif 000003
【図２】
2007292990.tif 000004
【図３】
2007292990.tif 000005
【図４】
2007292990.tif 000006
【図５】
2007292990.tif 000007
【図６】
2007292990.tif 000008
【図７】
2007292990.tif 000009
【図８】
2007292990.tif 000010
【図９】
2007292990.tif 000011
【図１０】
2007292990.tif 000012
【図１１】
2007292990.tif 000013